(57)【要約】  実施例は、前面に光を出射する光源部；前記光源部の後面に結合され、中央に形成された貫通ホールを含むプレート；および前記光源部と前記プレートの間に配置され、前記貫通ホールと向かい合う面に形成される収容溝を含むホルダーを含み、前記収容溝は第１方向に第１幅および前記第１方向と交差する第２方向に第２幅を有し、前記第１幅は前記貫通ホールの直径より大きく、前記第２幅は前記貫通ホールの直径より小さい照明装置を開示する。  【選択図】図１
2019515453.tif 000002
【特許請求の範囲】
【請求項１】
前面に光を出射する光源部；
前記光源部の後面に結合され、中央に形成された貫通ホールを含むプレート；および
前記光源部と前記プレートの間に配置され、前記貫通ホールと向かい合う収容溝を含むホルダーを含み、
前記収容溝は第１方向に延びた第１幅、および前記第１方向と交差する第２方向に延びた第２幅を有し、
前記第１幅は前記貫通ホールの直径より大きく、前記第２幅は前記貫通ホールの直径より小さい、照明装置。
【請求項２】
前記ホルダーの収容溝は、
互いに向かい合う第１側壁と第２側壁、および
前記第１側壁と第２側壁を連結し、互いに向かい合う第３側壁および第４側壁を含み、
前記第１幅は前記第１側壁と第２側壁の間の距離であり、前記第２幅は前記第３側壁と第４側壁の間の距離である、請求項１に記載の照明装置。
【請求項３】
前記第１側壁と第２側壁は曲率を有し、
前記第３側壁と第４側壁は平坦面を有する、請求項２に記載の照明装置。
【請求項４】
前記第１側壁と第３側壁とが交差する第１角、前記第２側壁と第４側壁とが交差する第２角を含み、
前記第１角から中心に向かって突出した第１突起、および前記第２角から中心に向かって突出した第２突起を含む、請求項２に記載の照明装置。
【請求項５】
前記光源部は
一側が開放されたケース；
前記ケースに配置される回路基板；
前記回路基板上に配置される複数個の発光素子；および
前記ケースの一側に結合するカバーを含む、請求項１に記載の照明装置。
【請求項６】
前記ケースは中央部に形成され、前記カバーに向かって陥没した凹溝を含み、
前記ケースとプレートの間には電源部が配置され、
前記電源部は前記ケースに装着される基板と、前記凹溝に収容される複数個の電子部品を含む、請求項５に記載の照明装置。
【請求項７】
前記回路基板はリング状を有して前記ケースの縁部に配置され、
前記回路基板上に配置される複数個の発光素子は互いに向かい合うように配置される、請求項５に記載の照明装置。
【請求項８】
前記ホルダーの収容溝に収容される胴体部、および前記胴体部の外側に突出する複数個の突出段を含むソケットをさらに含み、
前記複数個の突出段は前記ホルダーの回転時に前記収容溝の側壁によって胴体部の内側に挿入される、請求項１に記載の照明装置。
【請求項９】
前記ホルダーの収容溝は第１方向に第１幅および第２方向に第２幅を含み、
前記ホルダーの収容溝の第１幅は前記複数個の突出段の外側面を延長した仮想円の第１直径より大きく
前記ホルダーの収容溝の第２幅は前記複数個の突出段の外側面を延長した仮想円の第１直径より小さい、請求項８に記載の照明装置。
【請求項１０】
前記ホルダーは、
互いに向かい合う第１側壁と第２側壁、
前記第１側壁と第２側壁を連結し、互いに向かい合う第３側壁および第４側壁、
前記第１側壁と第３側壁とが交差する第１角、
前記第２側壁と第４側壁とが交差する第２角、
前記第１角から中心に向かって突出した第１突起、および
前記第２角から中心に向かって突出した第２突起を含み、
前記第１幅は前記第１側壁と第２側壁の間の距離であり、前記第２幅は前記第３側壁と第４側壁の間の距離であり、
前記ホルダーを第１方向に回転させる時に前記ソケットの突出段は前記第１角と第２角によって回転が制限され、
前記ホルダーを第１方向と反対方向に回転させる時に前記ソケットの突出段は前記第３側壁と第４側壁によって胴体部の内側に挿入される、請求項９に記載の照明装置。
【発明の詳細な説明】
【技術分野】
【０００１】
実施例は照明装置に関するものである。
【背景技術】
【０００２】
発光ダイオード（Ｌｉｇｈｔ  Ｅｍｉｔｔｉｎｇ  Ｄｉｏｄｅ；ＬＥＤ）は電気エネルギーを光に変換する半導体素子の一種である。発光ダイオードは蛍光灯、白熱灯などの既存の光源に比べ、低消費電力、半永久的な寿命、速い応答速度、安全性、環境親和性の長所を有する。これに伴い、既存の光源を発光ダイオードに変えるための多くの研究が進行されている。
【０００３】
最近、発光ダイオードは室内および室外で使用される各種液晶表示装置、電光掲示板、街路灯などの照明装置の光源として使用が増加している趨勢である。発光ダイオードを光源として使用する照明装置は、発光ダイオードが実装された印刷回路基板（Ｐｒｉｎｔｅｄ  Ｃｉｒｃｕｉｔ  Ｂｏａｒｄ；ＰＣＢ）を含む光源部材を含む。
【０００４】
一般的な照明装置は設置のためにケースの中央にホールが形成される。したがって、中央に暗部が発生する問題がある。
【０００５】
また、照明装置を天井から分離するために内部を開閉しなければならないため、安定性に問題が発生し得、設置および分離が複雑である問題がある。
【発明の概要】
【発明が解決しようとする課題】
【０００６】
実施例は設置および分離が容易な照明装置を提供する。
【０００７】
また、設置および分離時に安定性が優秀な照明装置を提供する。
【０００８】
また、中央部の暗部が除去されて均一度が優秀な照明装置を提供する。
【課題を解決するための手段】
【０００９】
実施例に係る照明装置は、光源部；前記光源部に結合され、中央に形成された貫通ホールを含むプレート；および前記光源部と前記プレートの間に配置され、前記貫通ホールと向かい合う面に形成される収容溝を含むホルダーを含み、前記収容溝は第１方向に第１幅および前記第１方向と交差する第２方向に第２幅を有し、前記第１幅は前記貫通ホールの直径より大きく、前記第２幅は前記貫通ホールの直径より小さい。
【００１０】
前記ホルダーは、互いに向かい合う第１側壁と第２側壁、および前記第１側壁と第２側壁を連結し、互いに向かい合う第３側壁および第４側壁を含み、前記第１幅は前記第１側壁と第２側壁の間の距離であり、前記第２幅は前記第３側壁と第４側壁の間の距離であり得る。
【００１１】
前記第１側壁と第２側壁は曲率を有し得る。
【００１２】
前記第３側壁と第４側壁は平坦面を有し得る。
【００１３】
前記ホルダーは前記第１側壁と第３側壁とが交差する第１角、前記第２側壁と第４側壁とが交差する第２角を含むことができる。
【００１４】
前記ホルダーは前記第１角から中心に向かって突出した第１突起、および前記第２角から中心に向かって突出した第２突起を含むことができる。
【００１５】
前記光源部は一側が開放されたケース；前記ケースに配置される回路基板；前記回路基板上に配置される複数個の発光素子；および前記ケースの一側に結合するカバーを含むことができる。
【００１６】
前記ケースは中央部に形成され、前記カバーに向かって陥没した凹溝を含むことができる。
【００１７】
前記ケースとプレートの間には電源部が配置され、前記電源部は前記ケースに装着される基板と、前記凹溝に収容される複数個の電子部品を含むことができる。
【００１８】
前記回路基板はリング状を有して前記ケースの縁部に配置され、前記回路基板上に配置される複数個の発光素子は互いに向かい合うように配置され得る。
【００１９】
本発明の他の実施例に係る照明装置は、光源部；前記光源部に結合され、中央に形成された貫通ホールを含むプレート；前記光源部と前記プレートの間に配置され、前記貫通ホールと向かい合う面に形成される収容溝を含むホルダー；および前記ホルダーの収容溝に収容される胴体部、および前記胴体部の外側に突出する複数個の突出段を含むソケットを含み、前記複数個の突出段は前記ホルダーの回転時に前記収容溝の側壁によって胴体部の内側に挿入される。
【００２０】
前記ホルダーの収容溝は第１方向に第１幅および第２方向に第２幅を含み、前記ホルダーの収容溝の第１幅は前記複数個の突出段の外側面を延長した仮想円の第１直径より大きく、前記ホルダーの収容溝の第２幅は前記複数個の突出段の外側面を延長した仮想円の第１直径より小さくてもよい。
【００２１】
前記ホルダーは、互いに向かい合う第１側壁と第２側壁、および前記第１側壁と第２側壁を連結し、互いに向かい合う第３側壁および第４側壁を含み、前記第１幅は前記第１側壁と第２側壁の間の距離であり、前記第２幅は前記第３側壁と第４側壁の間の距離であり得る。
【００２２】
前記ホルダーは前記第１側壁と第３側壁とが交差する第１角、前記第２側壁と第４側壁とが交差する第２角を含むことができる。
【００２３】
前記ホルダーは前記第１角から中心に向かって突出した第１突起、および前記第２角から中心に向かって突出した第２突起を含むことができる。
【００２４】
前記ホルダーを第１方向に回転させる時に前記ソケットの突出段は前記第１角と第２角によって回転が制限され、前記ホルダーを第１方向と反対方向に回転させる時に前記ソケットの突出段は前記第３側壁と第４側壁によって胴体部の内側に挿入され得る。
【発明の効果】
【００２５】
実施例によると、照明装置の設置および分離が容易である。
【００２６】
また、設置および分離時に発光素子および電子部品が外部に露出しないため、安定性が優秀である。
【００２７】
また、中央部の暗部が除去されるため、均一度が優秀である。
【００２８】
本発明の多様かつ有益な長所と効果は前述した内容に限定されず、本発明の具体的な実施形態を説明する過程でより容易に理解されるはずである。
【図面の簡単な説明】
【００２９】
【図１】本発明の一実施例に係る照明装置の斜視図。
【図２】図１の分解斜視図。
【図３】照明装置が壁面に固定される構成を説明するための図面。
【図４】照明装置が壁面に固定される構成を説明するための図面。
【図５】ソケットとホルダーを説明するための図面。
【図６】ソケットとホルダーが結合される過程を説明するための図面。
【図７】ソケットとホルダーが分離する過程を説明するための図面。
【図８】ソケットの第１変形例。
【図９】ソケットの第２変形例。
【図１０】実施例に係る光源部の構造を説明するための図面。
【図１１】図１０の変形例。
【発明を実施するための形態】
【００３０】
本実施例は異なる形態に変形したり、複数の実施例を互いに組み合わせることができ、本発明の範囲は以下で説明するそれぞれの実施例に限定されるものではない。
【００３１】
特定の実施例で説明された事項が他の実施例で説明されずとも、他の実施例でその事項と反対または矛盾する説明がない限り、他の実施例に関連した説明と理解され得る。
【００３２】
例えば、特定の実施例で構成Ａに対する特徴を説明し、他の実施例で構成Ｂに対する特徴を説明したのであれば、構成Ａと構成Ｂが結合された実施例が明示して記載されておらずとも反対または矛盾する説明がない限り、本発明の技術的範囲に属するものと理解されるべきである。
【００３３】
実施例の説明において、いずれか一つのｅｌｅｍｅｎｔが他のｅｌｅｍｅｎｔの「上（うえ）または下（した）（ｏｎ  ｏｒ  ｕｎｄｅｒ）」に形成されるものと記載される場合において、上（うえ）または下（した）（ｏｎ  ｏｒ  ｕｎｄｅｒ）は二つのｅｌｅｍｅｎｔが互いに直接（ｄｉｒｅｃｔｌｙ）接触するか一つ以上の他のｅｌｅｍｅｎｔが前記両ｅｌｅｍｅｎｔの間に配置されて（ｉｎｄｉｒｅｃｔｌｙ）形成されるものをすべて含む。また「上（うえ）または下（した）（ｏｎ  ｏｒ  ｕｎｄｅｒ）」と表現される場合、一つのｅｌｅｍｅｎｔを基準として上側方向だけでなく下側方向の意味も含むことができる。
【００３４】
以下、添付した図面を参照して本発明の実施例について、本発明が属する技術分野で通常の知識を有する者が容易に実施できるように詳細に説明する。
【００３５】
図１は本発明の一実施例に係る照明装置の斜視図、図２は図１の分解斜視図である。
【００３６】
図１と図２を参照すると、実施例に係る照明装置１００は、光源部１１０、光源部１１０に結合されるプレート１４０、光源部１１０とプレート１４０の間に配置されるホルダー１３０、ホルダー１３０に挿入されるソケット１５０を含む。
【００３７】
光源部１１０は、円盤状のケース１１１の内部に複数個の光源が配置され得る。光源部１１０の構造は特に限定しない。例示的に光源部１１０は一般的な照明器具の構造をすべて適用することができる。
【００３８】
ケース１１１は中央に形成された凹溝１１１ａを含むことができる。凹溝１１１ａ上には電源部１２０が配置され得る。電源部１２０に実装された複数個の電子部品（パワーなど）は凹溝１１１ａに収容され得る。
【００３９】
従来の照明装置１００はケース１１１の中央部にホールが形成され得る。このようなホールは建物の天井に設置されたソケット１５０との電気的な連結のための空間を形成することができる。また、ホールは使用者が照明装置１００をソケット１５０と分離できる空間を形成することができる。しかし、ケースの中央に所定の大きさ以上のホールが形成されると中心部に暗部が発生する問題がある。
【００４０】
実施例に係るケース１１１の中央にはホールが形成されない。したがって、ケース１１１の中央でも光を制御することができるため、前面に均一な光を出射することができる。
【００４１】
実施例に係る照明装置１００はプレート１４０とホルダー１３０を利用して天井に装着され得る。
【００４２】
プレート１４０は光源部１１０と反対方向に膨らんで形成されて内部に空間を形成することができ、中央には貫通ホール１４１が形成され得る。プレート１４０は螺子などによってケース１１１の後面に結合され得る。プレート１４０はケース１１１の凹溝を覆う程度の直径を有することができる。
【００４３】
ホルダー１３０はケース１１１とプレート１４０の間に配置され、螺子などによってプレート１４０に固定され得る。ホルダー１３０は貫通ホール１４１と向かい合う面に挿入溝１３１が形成され得る。
【００４４】
ソケット１５０は円筒状の胴体１５２の外側に露出した突出段１５１を含むことができる。ソケット１５０はプレート１４０の貫通ホール１４１を通過してホルダー１３０に固定されることによって、プレート１４０を天井に固定され得る。したがって、プレート１４０と結合された光源部１１０が天井に固定され得る。ソケット１５０は天井に埋設された電源コネクター（図示されず）と電気的に連結され得る。
【００４５】
パッド１６０はプレート１４０の一面に付着して照明装置１００が天井に固定される時、天井と照明装置１００の間のクッションの役割を遂行することができる。パッド１６０は弾性のある材質であれば特に制限されない。
【００４６】
図３と図４は照明装置が壁面に固定される構成を説明するための図面である。
【００４７】
図３を参照すると、住宅または建物の天井１には電源コネクター２とソケット１５０が配置され得る。電源コネクター２とソケット１５０の構造は、一般の家庭や建物にあらかじめ配置された共用の構造物であり得る。ソケット１５０の胴体１５２の直径ｄ１はプレート１４０の貫通ホール１４１の直径に対応され得る。
【００４８】
突出段１５１は胴体１５２の外側に突出し得る。したがって、突出段１５１の直径ｄ２は胴体１５２の直径および貫通ホール１４１の直径ｄ１より大きくてもよい。
【００４９】
突出段１５１はスプリングのような弾性部材によって突出するため、これを加圧すると胴体１５２の内部に挿入される構造であり得る。
【００５０】
図示してはいないが、ソケット１５０から延長されたケーブルを電源部１２０と電気的に連結することができる。したがって、ソケット１５０を介して外部電源が照明装置１００に印加され得る。
【００５１】
ホルダー１３０は電源部１２０と所定の間隔で離隔され得る。電源部１２０の多様な電子部品１２１、１２２等では動作時に多量の熱が放出されるため、対流によって冷却されるように電源部１２０とホルダー１３０は所定の間隔で離隔され得る。特に、ホルダー１３０がプラスチック材質の場合、十分な間隔で離隔させる必要がある。
【００５２】
図４を参照すると、照明装置１００を天井１に向かって押し上げるとソケット１５０はホルダー１３０の収容溝１３１に収容される。この時、突出段１５１はプレート１４０の貫通ホール１４１に挿入される。したがって、照明装置１００は天井に固定され得る。この時、複数個のパッド１６０は天井とプレート１４０の間にクッションの役割を遂行することができる。
【００５３】
図５はソケットとホルダーを説明するための図面であり、図６はソケットとホルダーが結合される過程を説明するための図面、図７はソケットとホルダーが分離する過程を説明するための図面である。
【００５４】
ソケット１５０は、ホルダー１３０に収容される胴体１５２、および胴体１５２から外側に突出する複数個の突出段１５１を含む。突出段１５１の終端はホルダー１３０から遠くなるほど突出するように形成され得る。このような構造によると、プレート１４０の貫通ホール１４１との結合が容易であり得、結合後には容易に分離されることを防止することができる。
【００５５】
ホルダー１３０はソケット１５０が収容される収容溝１３１を含むことができる。収容溝１３１は、互いに向かい合う第１側壁１３６と第２側壁１３７、および互いに向かい合う第３側壁１３４および第４側壁１３５を含む。第１側壁１３６と第２側壁１３７は曲率を含むことができ、第３側壁１３４および第４側壁１３５は平坦面を含むことができる。
【００５６】
収容溝１３１は第１側壁１３６と第３側壁１３４とが交差する第１角に形成された第１突起１３２および第２側壁１３７と第４側壁１３５とが交差する第２角に形成された第２突起１３３を含むことができる。また、側壁と底面の剛性を増加させる補強部１３８をさらに含むことができる。
【００５７】
図６を参照すると、ソケット１５０がプレートを通過して収容溝１３１に収容されると、第１方向に回転させて締結を完了することができる。すなわち、第１突起１３２と第２突起１３３がストッパーの役割を遂行することができる。
【００５８】
収容溝１３１は第１方向（Ｘ方向）に第１側壁１３６と第２側壁１３７の間である第１幅Ｗ１と、第２方向（Ｙ方向）に第３側壁１３４および第４側壁１３５の間である第２幅Ｗ２を有することができる。
【００５９】
この時、複数個の突出段１５１を延長した仮想円Ｃ１の直径は、第１幅Ｗ１よりは小さいが第２幅Ｗ２よりは大きくてもよい。したがって、ソケット１５０が挿入されて第１回転方向に回転する間には突出段１５１が第１幅Ｗ１内で回転するので、仮想円Ｃ１の直径をそのまま維持することができる。
【００６０】
図７を参照すると、照明装置を分離するために光源部を第２回転方向に回転させる場合、光源部と連結されたホルダー１３０は第２回転方向に回転するようになる。第１回転方向は時計回り方向であり、第２回転方向は反時計回り方向であり得るが、必ずしもこれに限定されない。
【００６１】
ホルダー１３０が第２回転方向に回転すると、ソケット１５０の突出段１５１は収容溝１３１の第３側壁１３４および第４側壁１３５と接触する。前述した通り、第３側壁１３４と第４側壁１３５の間の第２幅Ｗ２は突出段１５１を連結した仮想円Ｃ１より小さいので、突出段１５１は第３側壁１３４と第４側壁１３５に押圧されて胴体１５２の内部に挿入される。したがって、ソケット１５０の直径はプレート１４０の貫通ホールの直径と同一となるので、照明装置１００は天井に付着されたソケット１５０と分離され得る。
【００６２】
すなわち、ソケット１５０とホルダー１３０が結合時には、図７のようにソケット１５０の突出段１５１が第３側壁１３４と第４側壁１３５の間の第２幅Ｗ２に押圧されて挿入され得る。以降、ホルダー１３０の回転によってソケット１５０の突出段１５１が飛び出して図６の状態となり得る。
【００６３】
また、ソケット１５０とホルダー１３０の分離時には図６の状態でホルダー１３０が回転することによって、ソケット１５０の突出段１５１が図７のように第２幅Ｗ２に押圧されて分離可能となり得る。
【００６４】
図８はソケットの第１変形例、図９はソケットの第２変形例である。
【００６５】
図８を参照すると、ホルダー１３０の第３側壁１３４と第４側壁１３５は終端１３４ａ、１３５ａが突出してもよく、図９を参照すると、終端１３４ｂ、１３５ｂに丸みを付与してもよい。このような構成によると、突出段１５１が配置されるポケットＰ１を形成して照明装置１００が任意に回転する問題を防止することができ、分離時にソケット１５０の突出段１５１を容易にガイドできる長所がある。
【００６６】
図１０は実施例に係る光源部の構造を説明するための図面、図１１は図１０の変形例である。
【００６７】
図１０を参照すると、光源部１１０は一側が開放されたケース１１１、ケース１１１に配置される回路基板２００、回路基板２００上に配置される複数個の発光素子２１０、およびケース１１１の一側に結合するカバー１１２を含む。
【００６８】
ケース１１１はリング状の第１ブラケット１１４および第２ブラケット１１３を含むことができる。第１ブラケット１１４と第２ブラケット１１３はリング状に形成され、間の隙間にカバー１１２を固定することができる。
【００６９】
第１ブラケット１１４の内側面にはリング状の回路基板２００が配置され得る。したがって、回路基板２００上に配置される複数個の発光素子２１０もリング状に配置されて互いに向かい合うことができる。
【００７０】
発光素子２１０から放出される光Ｌ１はケース１１１により反射されて制御され得る。ケース１１１の内面は光反射材質を含むことができる。ケース１１１は、フェニルシリコーン（Ｐｈｅｎｙｌ  Ｓｉｌｉｃｏｎｅ）、メチルシリコーン（Ｍｅｔｈｙｌ  Ｓｉｌｉｃｏｎｅ）のような白色シリコーン（Ｗｈｉｔｅ  Ｓｉｌｉｃｏｎｅ）を含むことができ、反射率を向上させるために、白色シリコーン（Ｗｈｉｔｅ  Ｓｉｌｉｃｏｎｅ）に反射粒子がさらに含まれた構造であり得る。例えば、ケース１１１は、ＴｉＯ２が分散したガラスでもよく、これに限定されない。前記のようなケース１１１の内側面は、発光素子２１０から放出された光を乱反射（ｄｉｆｆｕｓｅ  ｒｅｆｌｅｃｔｉｏｎ）させることができ、入射した光をランバーシアン（ｌａｍｂｅｒｔｉａｎ）分布でカバー１１２に反射させることができる。
【００７１】
ケース１１１の形状は光を制御できる形状に製作され得る。例示的に、ケース１１１の中央部は陥没されて入射する光をカバー１１２方向に反射することができる。この時、実施例に係るケース１１１は中央部１１１ａにホールが形成されないため、入射する光を反射するように設計され得る。したがって、照明装置１００の中央領域の光の制御が可能となって暗部の発生を防止することができる。
【００７２】
ケース１１１、第１ブラケット１１４、および第２ブラケット１１３は、スクリューなどのような締結部材を介して締結されるか接着部材を介して接着され得るが、これに限定されない。
【００７３】
図１１を参照すると、実施例に係る光源部１１０は直下型タイプでもよい。このような構成によると、中央部と縁部に暗部が発生する問題を解決することができる。
【図１】
2019515453.tif 000003
【図２】
2019515453.tif 000004
【図３】
2019515453.tif 000005
【図４】
2019515453.tif 000006
【図５】
2019515453.tif 000007
【図６】
2019515453.tif 000008
【図７】
2019515453.tif 000009
【図８】
2019515453.tif 000010
【図９】
2019515453.tif 000011
【図１０】
2019515453.tif 000012
【図１１】
2019515453.tif 000013
【国際調査報告】
2019515453.tif 000014
2019515453.tif 000015
2019515453.tif 000016
2019515453.tif 000017